【手続補正書】
【提出日】平成20年1月8日(2008.1.8)
【手続補正１】
【補正対象書類名】明細書
【補正対象項目名】特許請求の範囲
【補正方法】変更
【補正の内容】
【特許請求の範囲】    【請求項１】  預貯金者が自由に使用することができる預貯金が蓄えられた第１の部分と、所定の時期に所定の用途に使用されることが予定されている預貯金が蓄えられた第２の部分に区分された預貯金口座を管理する預貯金口座管理装置であって、前記預貯金口座の預貯金者が第三者から物又はサービスを購入する際に、又は前記預貯金口座の預貯金者が第三者を介して物又はサービスを購入する際に、前記預貯金口座から前記第三者の指定する口座へ振り込まれる振込金額を特定するための情報を取得する振込金額取得手段と、前記振込金額取得手段にて取得した情報から特定された前記振込金額を前記第三者の指定する口座に対して振り込む振込日を特定するための情報を取得する振込日取得手段と、前記振込金額に相当する第１の部分の預貯金を、前記第１の部分から第２の部分に移動する預貯金移動手段と、前記振込日特定手段にて取得した情報から特定された前記振込日に、前記預貯金移動手段にて前記第２の部分に移動された預貯金を前記第三者の指定する口座に振り込む振込手段と、を備えたことを特徴とする預貯金口座管理装置。    【請求項２】  前記預貯金者の前記預貯金口座に先日付にて入金を受け付ける先日付入金手段を更に備え、前記先日付入金手段にて入金される預貯金は、前記第１の部分に入金され、前記先日付入金手段にて前記第１の部分に入金された預貯金は、前記先日付にて指定された日付以降に前記預貯金口座から引出し可能になることを特徴とする請求項１に記載の預貯金口座管理装置。    【請求項３】  前記先日付入金手段によって、前記第１の部分に入金された預貯金を、前記先日付以前に、前記預貯金口座の預貯金者が第三者から物又はサービス又を購入する場合、又は前記預貯金口座の預貯金者が第三者を介して物又はサービス又を購入する場合の購入代金として予約する予約手段を更に備え、前記予約手段にて予約された預金は、前記第２の部分に入金されることを特徴とする請求項１に記載の預貯金口座管理装置。    【請求項４】  前記預貯金者が前記第三者から前記物又は前記サービスを購入する際に、又は前記預貯金者が前記第三者を介して前記物又はサービスを購入する際に、前記振込日取得手段にて取得された日における前記第１の部分に蓄えられた預貯金の残高を取得する残高取得手段と、前記振込金額取得手段にて取得された情報から特定された前記振込金額を比較して、前記振込金額に相当する預金を前記第１の部分から前記第２の部分へ移動するか否かを判断する判断手段と、を更に備え、前記判断手段にて、前記第１の部分から前記第２の部分へ預貯金を移動すると判断されたときは、前記第１の部分から前記第２の部分へ、前記振込額取得手段にて取得した情報により特定された金額に相当する前記第１の部分の預貯金を前記預貯金移動手段にて前記第２の部分に移動し、前記判断手段にて、前記第１の部分から前記第２の部分へ前記預貯金を移動しないと判断されたときは、前記第１の部分から前記第２の部分への前記預貯金の移動は行わないことを特徴とする請求項１に記載の預貯金口座管理装置。    【請求項５】  前記判断手段が、前記第１の部分から前記第２の部分へ前記預貯金を移動しないと判断したときは、前記第三者に前記判断手段にて前記第１の部分から前記第２の部分への前記預貯金の移動は行わない旨の通知を行う通知手段を更に備えたことを特徴とする請求項４に記載の預貯金口座管理装置。    【請求項６】  前記預貯金口座の預貯金者が前記第三者から前記物又は前記サービスを購入する際に、又は前記預貯金口座の預貯金者が前記第三者を介して前記物又は前記サービスを購入する際に、前記第１の部分から前記第２の部分に移動した前記預貯金は、前記物又は前記サービスの購入がなされなかった場合は前記第２の部分から前記第１の部分へ移動されることを特徴とする請求項１に記載の預貯金口座管理装置。    【請求項７】  前記預貯金口座の預貯金者が前記第三者から前記物又は前記サービスを購入する際に、又は前記預貯金口座の預貯金者が前記第三者を介して前記物又は前記サービスを購入する際に、前記第１の部分から第２の部分に移動した前記預貯金の金額が、前記物又は前記サービスを購入した金額よりも大きい場合は、その差額を前記第２の部分から前記第１の部分へ移動することを特徴とする請求項１に記載の預貯金口座管理装置。    【請求項８】  前記預貯金者からの要求に応じて、前記預貯金者に前記預貯金口座の残高情報を送信する残高送信手段を更に備えたことを特徴とする請求項１に記載の預貯金口座管理装置。    【請求項９】  前記第三者は、有価証券売買業者又は有価証券売買仲介業者であり、前記預貯金者が前記第三者から購入する物、又は前記第三者を介して購入する物は有価証券であり、前記有価証券には株式、国債、社債、地方債、投資信託の内少なくとも一つが含まれていることを特徴とする請求項１に記載の預貯金口座管理装置。    【請求項１０】  前記有価証券売買業者または有価証券売買仲介業者は複数存在し、前記各有価証券売買業者または各有価証券売買仲介業者とネットワーク接続された預貯金口座管理装置であって、前記預貯金口座管理装置は、前記ネットワークを介して前記各有価証券売買業者または前記各有価証券売買仲介業者から、前記第１の部分から前記第２の部分へ移動する預貯金の金額又は、前記第２の部分から前記第１の部分へ移動する預貯金の金額を取得し、更に、前記ネットワークを介して前記各有価証券売買業者または前記各有価証券売買仲介業者から、前記第２の部分に移動した預貯金を前記各有価証券売買業者または前記各有価証券売買仲介業者の指定する預貯金口座に振り込む振込日を取得することを特徴とする請求項９に記載の預貯金口座管理装置。    【請求項１１】  前記預貯金口座と前記第三者が指定する預貯金口座は同一の金融機関内に開設されていることを特徴とする請求項９に記載の預貯金口座管理装置。    【請求項１２】  預貯金者が自由に使用することができる預貯金が蓄えられた第１の部分と、所定の時期に所定の用途に使用されることが予定されている預貯金が蓄えられた第２の部分に区分された預貯金口座を管理する預貯金口座管理方法であって、前記預貯金口座の預貯金者が第三者から物又はサービスを購入する際に、又は前記預貯金口座の預貯金者が第三者を介して物又はサービスを購入する際に、前記物又は前記サービスの購入と引き替えに前記預貯金口座から前記第三者の指定する口座へ振り込まれる振込金額を特定するための情報を取得する第１のステップと、前記第１のステップにて取得した情報から特定された前記振込金額を前記第三者の指定する口座に対して振り込む振込日を特定するための情報を取得する第２のステップと、前記振込金額に相当する第１の部分の預貯金を、前記第１の部分から第２の部分に移動する第３のステップと、前記第２のステップにて取得した情報から特定された前記振込日に、前記第２の部分に移動された預貯金を前記第三者の指定する口座に振り込む第４のステップと、からなることを特徴とする預貯金口座管理方法。    【請求項１３】  預貯金者が自由に使用することができる預貯金が蓄えられた第１の部分と、所定の時期に所定の用途に使用されることが予定されている預貯金が蓄えられた第２の部分に区分された預貯金口座を管理する預貯金口座管理プログラムを記憶したコンピュータが読み取り可能な記憶媒体であって、前記預貯金口座の預貯金者が第三者から物又はサービスを購入する際に、又は前記預貯金口座の預貯金者が第三者を介して物又はサービスを購入する際に、前記物又は前記サービスの購入と引き替えに前記預貯金口座から前記第三者の指定する口座へ振り込まれる振込金額を特定するための情報を取得する振込金額取得機能と、前記振込金額取得機能にて取得した情報から特定された前記振込金額を前記第三者の指定する口座に対して振り込む振込日を特定するための情報を取得する振込日取得機能と、前記振込金額に相当する第１の部分の預貯金を、前記第１の部分から第２の部分に移動する預貯金移動機能と、前記振込日特定機能にて取得した情報から特定された前記振込日に、前記預貯金移動機能にて前記第２の部分に移動された預貯金を前記第三者の指定する口座に振り込む振込機能と、を備えたことを特徴とする預貯金口座管理プログラムを記憶したコンピュータに読み取り可能な記憶媒体。    【請求項１４】  顧客口座の預金を証券の買付資金とする証券購入システムにおいて、  顧客端末から証券の買付指示および売却指示を受付ける売買指示受付手段と、  前記買付指示に基づいて顧客口座から預金を移動し、証券の買付資金とする証券購入手段と、  前記売却指示に基づいて売却された証券の売却代金を所定期間に亘って保持する売却代金保持手段と、を備え、  前記証券購入手段は、前記所定期間内の前記買付指示において、前記売却代金保持手段に保持されている前記売却代金を、前記顧客口座の預金に優先して証券の買付代金に充当することを特徴とする、証券購入システム。    【請求項１５】  前記証券購入手段は、前記売却代金保持手段に保持されている前記売却代金が前記証券の買付代金に満たない場合、前記売却代金と前記買付代金との差額を前記顧客口座から補填することを特徴とする、請求項１４に記載の証券購入システム。    【請求項１６】  前記売却代金保持手段は、前記所定期間が経過した場合、保持している前記売却代金を前記顧客口座に入金することを特徴とする、請求項１４に記載の証券購入システム。    【請求項１７】  前記売却代金保持手段に保持されている前記売却代金と、前記顧客口座の預金との合計金額を証券購入可能金額として表示する証券購入可能金額表示部をさらに備えたことを特徴とする、請求項１４���記載の証券購入システム。    【請求項１８】  前記売却代金保持手段は、売却された証券の前記売却代金であり前記顧客口座に先日付で入金される前記売却代金を、前記売却代金が前記顧客口座に実際に入金されるまでの期間に亘って保持し、  前記証券購入手段は、前記売却代金が前記顧客口座に実際に入金されるまでの期間内の前記買付指示において、前記売却代金保持手段に保持されている前記売却代金を、前記顧客口座の預金に優先して証券の買付代金に充当することを特徴とする、請求項１４に記載の証券購入システム。    【請求項１９】  前記証券購入手段は、前記売却代金保持手段に保持されている前記売却代金のうち、前記顧客口座に相対的に遅い先日付で入金される売却代金を、相対的に早い先日付で入金される売却代金に優先して前記証券の買付代金に充当することを特徴とする、請求項１８に記載の証券購入システム。    【請求項２０】  顧客端末、および顧客口座を管理する口座管理システムに通信回線を通じて接続可能な証券システムにおいて、  前記顧客端末から証券の買付指示および売却指示を受付ける売買指示受付手段と、  前記買付指示に基づいて前記顧客口座から預金を移動し、証券の買付資金とする証券購入手段と、  前記売却指示に基づいて売却された証券の売却代金を所定期間に亘って保持する売却代金保持手段と、を備え、  前記証券購入手段は、前記所定期間内の前記買付指示において、前記売却代金保持手段に保持されている前記売却代金を、前記顧客口座の預金に優先して証券の買付代金に充当することを特徴とする、証券システム。    【請求項２１】  顧客口座の預金を商品もしくはサービスの購入資金とする商品・サービス購入システムにおいて、  顧客端末から商品もしくはサービスの購入指示を受付ける購入指示受付手段と、  前記購入指示に基づいて顧客口座から預金を移動し、商品もしくはサービスの購入資金とする商品・サービス購入手段と、  前記顧客口座に先日付で入金される入金代金を、前記入金代金が前記顧客口座に実際に入金されるまでの期間に亘って保持する入金代金保持手段と、を備え、  前記商品・サービス購入手段は、前記入金代金が前記顧客口座に実際に入金されるまでの期間内の前記購入指示において、前記入金代金保持手段に保持されている前記入金代金を、前記顧客口座の預金に優先して商品もしくはサービスの購入代金に充当することを特徴とする、商品・サービス購入システム。    【請求項２２】  前記商品・サービス購入手段は、前記入金代金保持手段に保持されている前記入金代金が前記商品・サービスの購入代金に満たない場合、前記入金代金と前記購入代金との差額を前記顧客口座から補填することを特徴とする、請求項２１に記載の商品・サービス購入システム。    【請求項２３】  前記入金代金保持手段は、前記入金代金が前記顧客口座に実際に入金されるまでの期間が経過した場合、保持している前記入金代金を前記顧客口座に入金することを特徴とする、請求項２１に記載の商品・サービス購入システム。    【請求項２４】  前記入金代金保持手段に保持されている前記入金代金と、前記顧客口座の預金との合計金額を商品・サービス購入可能金額として表示する商品・サービス購入可能金額表示部をさらに備えたこ���を特徴とする、請求項２１に記載の商品・サービス購入システム。    【請求項２５】  前記商品・サービス購入手段は、前記入金代金保持手段に保持されている前記入金代金のうち、前記顧客口座に相対的に遅い先日付で入金される入金代金を、相対的に早い先日付で入金される入金代金に優先して前記商品・サービスの購入代金に充当することを特徴とする、請求項２１に記載の商品・サービス購入システム。    【請求項２６】  顧客端末および商品・サービスシステムに通信回線を通じて接続可能な、顧客口座を管理する口座管理システムにおいて、  前記顧客端末から商品もしくはサービスの購入指示を受付ける購入指示受付手段と、  前記購入指示に基づいて顧客口座の預金を商品もしくはサービスの購入資金とする商品・サービス購入手段と、  前記顧客口座に先日付で入金される入金代金を、前記入金代金が前記顧客口座に実際に入金されるまでの期間に亘って保持する入金代金保持手段と、を備え、  前記商品・サービス購入手段は、前記入金代金が前記顧客口座に実際に入金されるまでの期間内の前記購入指示において、前記入金代金保持手段に保持されている前記入金代金を、前記顧客口座の預金に優先して商品もしくはサービスの購入代金に充当することを特徴とする、口座管理システム。    【請求項２７】  顧客端末、および顧客口座を管理する口座管理システムに通信回線を通じて接続可能な商品・サービスシステムにおいて、  前記顧客端末から商品もしくはサービスの購入指示を受付ける購入指示受付手段と、  前記購入指示に基づいて前記顧客口座から預金を移動し、商品もしくはサービスの購入資金とする商品・サービス購入手段と、  前記顧客口座に先日付で入金される入金代金を、前記入金代金が前記顧客口座に実際に入金されるまでの期間に亘って保持する入金代金保持手段と、を備え、  前記商品・サービス購入手段は、前記入金代金が前記顧客口座に実際に入金されるまでの期間内の前記購入指示において、前記入金代金保持手段に保持されている前記入金代金を、前記顧客口座の預金に優先して商品もしくはサービスの購入代金に充当することを特徴とする、商品・サービスシステム。    【請求項２８】  顧客端末、銀行システム、および商品・サービスシステムが通信回線を通じて接続され、前記顧客端末と前記商品・サービスシステムとの間で商品取引もしくはサービス取引を行う商品・サービス取引システムにおいて、  前記銀行システムは、  顧客の預金を格納する預金格納手段と、  前記預金のうち少なくとも一部を一時的に格納する預金一時格納手段と、を備え、  前記商品・サービスシステムは、  商品もしくはサービスの買付注文を前記顧客端末から受信する買付注文受信手段と、  前記買付注文を前記顧客端末から受信すると、前記預金格納手段に格納されている前記預金の金額を照会し、前記商品もしくはサービスが買付可能であるかを判断する買付判断手段と、  前記買付判断手段により前記商品もしくはサービスが買付可能であると判断した場合に、前記商品もしくはサービスの買付代金を含み、前記買付代金に相当する前記預金を前記預金格納手段から前記預金一時格納手段へ移動させるための第１の預金移動情報を、前記銀行システムへ送信する第１の預金移動情���送信手段と、  前記買付判断手段により前記商品もしくはサービスが買付可能であると判断した場合に、前記商品もしくはサービスの購入を発注する購入発注手段と、  前記商品もしくはサービスの買付契約が成立した場合に、前記買付代金に相当する前記預金を前記預金一時格納手段から所定の支払口座へ移動させるための第２の預金移動情報を前記銀行システムへ送信する第２の預金移動情報送信手段と、を備え、  前記銀行システムは、  前記第１の預金移動情報に応じて前記買付代金に相当する前記預金を前記預金格納手段から前記預金一時格納手段へ移動し、前記買付契約が成立するまで前記預金の移動を制限する第１の預金移動手段と、  前記第２の預金移動情報に応じて前記買付代金に相当する前記預金を前記預金一時格納手段から前記所定の支払口座へ移動する第２の預金移動手段と、をさらに備えたことを特徴とする、商品・サービス取引システム。    【請求項２９】  前記商品・サービスシステムは、前記商品もしくはサービスの買付契約が成立し、前記第１の預金移動情報に含まれる前記買付代金と前記買付契約時の買付代金との間で差額が生じた場合に、前記預金格納手段と前記預金一時格納手段との間で前記買付代金の差額を調整するための差額調整情報を前記銀行システムへ送信する差額調整情報送信手段をさらに備え、  前記銀行システムは、前記差額調整情報に応じて前記預金格納手段と前記預金一時格納手段との間で前記買付代金の差額を調整する差額調整手段をさらに備えたことを特徴とする、請求項２８に記載の商品・サービス取引システム。    【請求項３０】  前記銀行システムは、前記顧客端末からの要求に応じて、前記預金格納手段に格納されている前記預金の金額を前記顧客端末へ送信する預金金額送信手段をさらに備えたことを特徴とする、請求項２８に記載の商品・サービス取引システム。    【請求項３１】  顧客端末および商品・サービスシステムに通信回線を通じて接続可能であり、前記顧客端末と前記商品・サービスシステムとの間で行われる商品取引もしくはサービス取引に関連して、前記顧客端末との間で銀行取引を行う銀行システムにおいて、  顧客の預金を格納する預金格納手段と、  前記預金のうち少なくとも一部を一時的に格納する預金一時格納手段と、  前記商品・サービスシステムによって、商品もしくはサービスの買付注文が前記顧客端末から受信され、前記買付注文が前記顧客端末から受信されると、前記預金格納手段に格納されている前記預金の金額が照会され、前記商品もしくはサービスが買付可能であると判断された場合に、前記商品もしくはサービスの買付代金を含み、前記買付代金に相当する前記預金を前記預金格納手段から前記預金一時格納手段へ移動させるための第１の預金移動情報が前記商品もしくはサービスシステムから送信され、前記第１の預金移動情報に応じて前記買付代金に相当する前記預金を前記預金格納手段から前記預金一時格納手段へ移動し、前記買付契約が成立するまで前記預金の移動を制限する第１の預金移動手段と、  前記商品・サービスシステムによって、前記商品もしくはサービスが買付可能であると判断された場合に、前記商品もしくはサービスの購入が発注され、前記商品もしくはサービスの買付契約が成��した場合に、前記買付代金に相当する前記預金を前記預金一時格納手段から所定の支払口座へ移動させるための第２の預金移動情報が前記商品・サービスシステムから送信され、前記第２の預金移動情報に応じて前記買付代金に相当する前記預金を前記預金一時格納手段から前記所定の支払口座へ移動する第２の預金移動手段と、を備えたことを特徴とする、銀行システム。    【請求項３２】  顧客の預金を格納する預金格納手段と、前記預金のうち少なくとも一部を一時的に格納する預金一時格納手段とを有する銀行システム、および顧客端末に通信回線を通じて接続可能であり、前記顧客端末との間で商品取引もしくはサービス取引を行う商品・サービスシステムにおいて、  商品もしくはサービスの買付注文を前記顧客端末から受信する買付注文受信手段と、  前記買付注文を前記顧客端末から受信すると、前記預金格納手段に格納されている前記預金の金額を照会し、前記商品もしくはサービスが買付可能であるかを判断する買付判断手段と、  前記買付判断手段により前記商品もしくはサービスが買付可能であると判断した場合に、前記商品もしくはサービスの買付代金を含み、前記買付代金に相当する前記預金を前記預金格納手段から前記預金一時格納手段へ移動させるための第１の預金移動情報を前記銀行システムへ送信する第１の預金移動情報送信手段と、  前記買付判断手段により前記商品・サービスが買付可能であると判断した場合に、前記商品もしくはサービスの購入を発注する購入発注手段と、  前記商品もしくはサービスの買付契約が成立した場合に、前記買付代金に相当する前記預金を前記預金一時格納手段から所定の支払口座へ移動させるための第２の預金移動情報を前記銀行システムへ送信する第２の預金移動情報送信手段と、を備えたことを特徴とする、商品・サービスシステム。